【手続補正書】
【提出日】平成25年3月7日(2013.3.7)
【手続補正１】
【補正対象書類名】明細書
【補正対象項目名】０１１２
【補正方法】変更
【補正の内容】
【０１１２】
本発明の好ましい実施形態のいくつかを以上で記述し具体的に例証してきたが、本発明がこのような実施形態に限定されることは意図されていない。さらに、本発明の構造および機能の詳細と共に、本発明の数多くの特徴および利点が以上の記述の中で説明されたにせよ、開示は一例にすぎず、添付クレームを表現している用語が有する広い一般的意味が指示する最大の限度まで、本発明の原理の範囲内で、特に形状、サイズおよび配置に関して、詳細な変更を加えてもよいということも理解すべきである。
次に、本発明の好ましい態様を示す。
１．  （Ａ）１つまたは複数の太陽電池を含む太陽電池アセンブリと、（Ｂ）第１のアイオノマー組成物を含む第１のアイオノマー封入材層と、（Ｃ）１．５ｍｍ未満の厚みを有する第１の薄いガラスシートを含む第１の外部保護層とをラミネートされた層として含む太陽電池モジュール。
２．  前記太陽電池が、単結晶シリコン（ｃ−Ｓｉ）、多結晶シリコン（ｍｓ−Ｓｉ）の一方または両方を含むウェハーベースの太陽電池であるか、または前記太陽電池が、非晶質シリコン（ａ−Ｓｉ）、微結晶シリコン（μｃ−Ｓｉ）、テルル化カドミウム（ＣｄＴｅ）、セレン化銅インジウム（ＣＩＳ）、ジセレン化銅インジウム／ガリウム（ＣＩＧＳ）、光吸収性染料および有機半導体からなる群から選択された１つ以上の材料を含む薄膜太陽電池であり；前記太陽電池が薄膜太陽電池である場合、前記太陽電池アセンブリがさらに、前記薄膜太陽電池を上に被着させる基板または表板を含んでいる、上記１に記載の太陽電池モジュール。
３．  前記第１のアイオノマー組成物が、負荷時間１分、３０℃でＡＳＴＭ  Ｄ５０２６に準じて判定した約２００〜約６００ＭＰａのヤング率を有する、上記１に記載の太陽電池モジュール。
４．  前記第１のアイオノマー組成物が、２〜１０個の炭素原子を有するα−オレフィンの共重合単位と、前駆体酸コポリマーの総重量に基づいて約１８〜約３０重量％の、３〜８個の炭素原子を有するα，β−エチレン性不飽和カルボン酸の共重合単位とを含む前駆体酸コポリマーのイオン中和誘導体であるアイオノマーを含んでおり、前記前駆体酸コポリマー中に存在するα，β−エチレン性不飽和カルボン酸の総含有量の約５％〜約９０％がすでに中和されている、上記１に記載の太陽電池モジュール。
５．  前記前駆体酸コポリマーが、前記α，β−エチレン性不飽和カルボン酸の共重合単位を約２０〜約２５重量％含み、前記前駆体酸コポリマー中に存在する前記α，β−エチレン性不飽和カルボン酸の前記総含有量の約１０％〜約６０％がすでに中和されている、上記４に記載の太陽電池モジュール。
６．  前記第１の封入材層が１〜約１２０ミル（約０．０２５〜約３ｍｍ）の平均厚みを有する、上記１に記載の太陽電池モジュール。
７．  前記薄いガラスシートが約０．１〜約０．８ｍｍの厚みを有する、上記１に記載の太陽電池モジュール。
８．  前記第１の封入材層が、前記太陽電池アセンブリに対して直接ラミネートされる第１の側面と、前記第１の外部保護層に対して直接ラミネートされる第２の側面とを有する、上記１に記載の太陽電池モジュール。
９．  （Ｄ）２つの側面を有し、前記第１の封入材層がラミネートされている側面とは反対側にある前記太陽電池アセンブリの側面に対してラミネートされる第２の封入材層と；（Ｅ）前記太陽電池アセンブリがラミネートされている側面とは反対側の前記第２の封入材層の側面に対してラミネートされる第２の外部保護層とを、ラミネートされた層としてさらに含む、上記８に記載の太陽電池モジュール。
１０．  前記第２の封入材層が、α−オレフィンおよびα，β−エチレン性不飽和カルボン酸のコポリマー、アイオノマー、ポリ（エチレンビニルアセテート類）、ポリ（ビニルアセタール類）、ポリウレタン類、ポリ（ビニルクロリド類）、ポリエチレン類、ポリオレフィンブロックコポリマーエラストマー、α−オレフィンおよびα，βエチレン性不飽和カルボン酸のコポリマー、シリコーンエラストマーおよびエポキシ樹脂類からなる群から選択された１つ以上のポリマー材料を含む、上記９に記載の太陽電池モジュール。
１１．  前記第２の外部保護層が、（ｉ）ガラスシートと；（ｉｉ）ポリカーボネート類、アクリル樹脂類、ポリアクリレート類、環式ポリオレフィン類、ポリスチレン類、ポリアミド類、ポリエステル類およびフルオロポリマーからなる群から選択された１つ以上のポリマーを含むポリマーシートと；（ｉｉｉ）ポリエステル類、ポリカーボネート類、ポリオレフィン類、ノルボルネンポリマー、ポリスチレン類、スチレン−アクリレートコポリマー、アクリロニトリル−スチレンコポリマー、ポリスルホン類、ナイロン類、ポリウレタン類、アクリル樹脂類、セルロースアセテート類、セロファン類、ポリ（ビニルクロリド類）、およびフルオロポリマーからなる群から選択された１つ以上のポリマーを含むポリマーフィルムと、からなる群から選択された１つ以上の材料を含む、上記９に記載の太陽電池モジュール。
１２．  前記第２の封入材層が第２のアイオノマー組成物を含み、前記第１および第２のアイオノマー組成物が同じかまたは異なるものである、上記９に記載の太陽電池モジュール。
１３．  前記第２の外部保護層が、２．０ｍｍ未満または約１．５ｍｍ以下の厚みを有する第２の薄いガラスシートを含む、上記９に記載の太陽電池モジュール。
１４．  前記太陽電池アセンブリが、前記封入材層および外部保護層よりも小さい側面積を有し、前記第１および第２の封入材層が前記太陽電池アセンブリの周縁部の外側にある領域内で共に結合されている、上記９に記載の太陽電池モジュール。
１５．  少なくとも１つの取付け用装置をさらに含み、前記少なくとも１つの取付け用装置が前記太陽電池アセンブリの前記周縁部の外側に位置づけされ、前記第１および第２の封入材層の間にラミネートされている第１の部分と、前記太陽電池モジュールの周縁部から外向きに突出している第２の部分とを有する、上記１４に記載の太陽電池モジュール。
１６．  前記少なくとも１つの取付け用装置は、それが突出している前記周縁部の部分全体にわたるカバーを形成する第３の部分をさらに含んでいる、上記１５に記載の太陽電池モジュール。
１７．  前記少なくとも１つの取付け用装置の前記第２の部分が少なくとも１つの固着用手段を含む、上記１５に記載の太陽電池モジュール。
１８．  ２つの取付け用装置を含み、前記取付け用装置が前記太陽電池モジュールの相対する周縁部上に位置づけされている、上記１５に記載の太陽電池モジュール。
１９．  ４つの取付け用装置を含み、前記取付け用装置のうちの２つが前記太陽電池モジュールの一つの縁部上に位置づけされ、前記取付け用装置のうちの２つが前記太陽電池モジュールの前記相対する周縁部上に位置づけされる、上記１５に記載の太陽電池モジュール。
２０．  ４つの取付け用装置を含み、前記取付け用装置の各々が前記太陽電池モジュールの異なる周縁部上に位置づけされている、上記１５に記載の太陽電池モジュール。
２１．  前記少なくとも１つの取付け用装置が金属またはプラスチックで作製されている、上記１５に記載の太陽電池モジュール。
２２．  前記少なくとも１つの取付け用装置が、鋼、アルミニウム、チタン、真鍮、鉛、クロム、銅およびそれらの合金からなる群から選択された金属を含む、上記２１に記載の太陽電池モジュール。
【手続補正２】
【補正対象書類名】特許請求の範囲
【補正対象項目名】全文
【補正方法】変更
【補正の内容】
【特許請求の範囲】
【請求項１】
（Ａ）１つまたは複数の太陽電池を含む太陽電池アセンブリと、（Ｂ）第１のアイオノマー組成物を含む第１のアイオノマー封入材層と、（Ｃ）１．５ｍｍ未満の厚みを有する第１の薄いガラスシートを含む第１の外部保護層とをラミネートされた層として含む太陽電池モジュールにおいて、
前記第１のアイオノマー組成物が、２〜１０個の炭素原子を有するα−オレフィンの共重合単位と、前駆体酸コポリマーの総重量に基づいて約２０〜約２５重量％の、３〜８個の炭素原子を有するα，β−エチレン性不飽和カルボン酸の共重合単位とを含む前駆体酸コポリマーのイオン中和誘導体であるアイオノマーを含んでおり、
前記第１のアイオノマー組成物が、負荷時間１分、３０℃でＡＳＴＭ  Ｄ５０２６に準じて判定した約２００〜約６００ＭＰａのヤング率を有する、
太陽電池モジュール。